(57)【要約】【課題】感光性記録媒体の記録再生時であっても、感光性記録媒体の遮光性を高く維持することができ、塵芥や指紋の付着を防止する。【解決手段】シャッター４を最も右側に移動させることにより、感光性記録媒体２の両面全体を覆い隠すことができる。この状態では、感光性記録媒体２に対する光の入出射を行うことができないが、感光性記録媒体２を完全に保護することができる。シャッター４を左側に移動させて行くと、第１及び第２遮蔽板２１、２２の変位スリット２４と第１及び第２ケース１１、１２の固定スリット１７の交差箇所が下方に移動して行き、これらの交差箇所の開口部が感光性記録媒体２の記録面の内周縁から外周縁まで移動して行く。このため、その交差箇所の開口部通じて、信号光及び参照光を感光性記録媒体２の記録面の内周縁から外周縁に至る範囲で入出射させることができる。【選択図】図２
2010238279.tif 000002
【特許請求の範囲】
【請求項１】
円形状の感光性記録媒体と、この感光性記録媒体を回転自在に収容した筐体と、前記感光性記録媒体の記録面を覆う前記筐体の壁部に移動可能に設けられたシャッターとを備え、
前記筐体の壁部に、前記感光性記録媒体の記録面の内周縁から外周縁に至る範囲で該感光性記録媒体に重なる固定透光スリットを設けると共に、前記シャッターに、変位透光スリットを設けており、
シャッターの移動に伴い、シャッターの変位透光スリットと筐体の壁部の固定透光スリットの交差箇所が感光性記録媒体の記録面の内周縁から外周縁に至る範囲で変位したり、前記筐体の壁部の固定透光スリットが前記シャッターの変位透光スリットと交差せず、シャッターにより塞がれることを特徴とする感光性記録媒体カートリッジ。
【請求項２】
請求項１に記載の感光性記録媒体カートリッジにおいて、
前記感光性記録媒体の両面を覆う前記筐体の両側壁部に、それぞれのシャッターを移動可能に設け、
筐体の両側壁部にそれぞれの固定透光スリットを設け、前記各シャッターにそれぞれの変位透光スリットを設けたことを特徴とする感光性記録媒体カートリッジ。
【請求項３】
請求項１又は２に記載の感光性記録媒体カートリッジにおいて、
前記筐体の壁部の固定透光スリットが前記感光性記録媒体の半径方向に設けられ、前記シャッターの変位透光スリットが筐体の壁部の固定透光スリットと交差する方向に設けられ、シャッターが筐体の壁部の固定透光スリットを横切る方向に移動されることを特徴とする感光性記録媒体カートリッジ。
【請求項４】
請求項１又は２に記載の感光性記録媒体カートリッジにおいて、
前記筐体の壁部の固定透光スリットが前記感光性記録媒体の半径方向に設けられ、
前記シャッターは、円形状もしくは扇型状であり、変位透光スリットが感光性記録媒体の半径方向の線分に交差するように設けられ、シャッターが感光性記録媒体と同心軸周りに回転移動されることを特徴とする感光性記録媒体カートリッジ。
【請求項５】
請求項１乃至４のうちのいずれか１つに記載の感光性記録媒体カートリッジにおいて、
前記シャッターを複数枚設けており、
前記各シャッターの変位透光スリットが前記筐体の壁部の固定透光スリットと１つの交差箇所で交差し、かつ該交差箇所が前記感光性記録媒体の記録面の内周縁から外周縁に至る範囲で変位するように、該各シャッターが移動されることを特徴とする感光性記録媒体カートリッジ。
【請求項６】
請求項１乃至５のうちのいずれか１つに記載の感光性記録媒体カートリッジにおいて、
前記シャッターの変位透光スリット及び前記筐体の壁部の固定透光スリットのうちの少なくとも一方が透光性部材からなることを特徴とする感光性記録媒体カートリッジ。
【発明の詳細な説明】
【技術分野】
【０００１】
本発明は、感光性記録媒体を収容した感光性記録媒体カートリッジに関する。
【背景技術】
【０００２】
この種の感光性記録媒体としてはホログラム記録媒体がある。このホログラム記録媒体には、信号光と参照光が照射されて、信号光と参照光の干渉縞（ホログラム）が記録され、このホログラムに対する参照光の照射により信号光が再生される（特許文献１を参照）。
【０００３】
このようなホログラム記録媒体は、ＤＶＤ(Digital Versatile Disc)やＢＤ（Blu-ray Disc）と比較して、その記録容量が極めて大きいという利点がある。
【０００４】
ここで、ホログラム記録媒体に記録可能な情報量の指標として、ダイナミックレンジ(M/#)が用いられている。このM/#は、所定の回折効率を有するホログラムの書き込み可能な数に基づいて定義され、記録媒体毎に固有の値を持つ。
【０００５】
ホログラフィック記録においては、ホログラム記録媒体固有のM/#を効率良く利用することが求められ、信号光や参照光以外の外乱光によるホログラム記録媒体の感光は、このM/#の効率的な利用を著しく妨げる。また、ホログラム記録媒体の記録面に塵芥や指紋が付着することも、記録再生の妨げとなる。
【０００６】
このような悪影響を防ぐため、ホログラム記録媒体を収容したカートリッジが提案されている。例えば、特許文献２では、ホログラム記録媒体の記録面を露呈させるための開口部をカートリッジ本体に形成し、この開口部にシャッターを設けて、このシャッターを開閉することによりホログラム記録媒体の記録面を露呈したり遮蔽したりし、更にシャッターの周縁にスポンジやフェルト等の遮光部材を設けて、外乱光の侵入を防いでいる。
【０００７】
また、特許文献３では、ホログラム記録媒体の記録面を露呈させるための細長い窓をカートリッジ本体に形成し、レンズ等からなる信号光学系に取り付けられた遮光カバーをカートリッジ本体の細長い窓に移動可能に重ねて、この細長い窓を遮光し、この状態で信号光学系のレンズから遮光カバーの丸窓を通じて信号光や参照光をホログラム記録媒体に照射しつつ、カートリッジ本体側を移動させて、信号光や参照光をホログラム記録媒体上で走査している。
【先行技術文献】
【特許文献】
【０００８】
【特許文献１】特開２００１−２５６６５４号公報
【特許文献２】特開２００７−６６３９４号公報
【特許文献３】特開２００５−３０２２２０号公報
【発明の概要】
【発明が解決しようとする課題】
【０００９】
しかしながら、特許文献２では、シャッターを開いたときに、カートリッジ本体の開口部が大きく開くので、外乱光がカートリッジ本体内に侵入して、ホログラム記録媒体の不要な感光が生じ易い。カートリッジをそのドライブ装置内に設置することを想定しても、ドライブ装置内の遮光が完全であるとは限らず、カートリッジ本体の開口部が大きく開くのは好ましくない。
【００１０】
また、特許文献３では、信号光学系に取り付けられた遮光カバーをカートリッジ本体の細長い窓に移動可能に重ねて、カートリッジ本体側を移動させる構成であるから、カートリッジ本体を交換することが困難である。
【００１１】
更に、遮光カバーをカートリッジ本体の細長い窓周辺に移動可能に取り付ける構造が具体的に開示されておらず不明である。
【００１２】
また、遮光カバーの中央の丸窓をホログラム記録媒体の内周近傍に移動させると、遮光カバーがホログラム記録媒体の回転軸に干渉するという不具合が生じるが、これの対策が不明である。更に、遮光カバーの中央の丸窓をホログラム記録媒体の外周近傍に移動させると、遮光カバーがカートリッジ本体からはみ出して、遮光性の低下が懸念されるが、これの対策が不明である。仮に、カートリッジ本体を大型化すれば、そのような問題を解決することができるが、カートリッジ本体の大型化は好ましくない。あるいは、遮光カバーを可撓性シートで形成して、遮光カバーを巻き取ったり繰り出したり等の構成が考えられるが、これもカートリッジ本体の大型化を招くので好ましくない。
【００１３】
そこで、本発明は、上記従来の課題を解決するためになされたものであり、感光性記録媒体の記録再生時であっても、感光性記録媒体の遮光性を高く維持することができ、塵芥や指紋の付着を防止することが可能な感光性記録媒体カートリッジを提供することを目的とする。
【課題を解決するための手段】
【００１４】
上記課題を解決するために、本発明の感光性記録媒体カートリッジは、円形状の感光性記録媒体と、この感光性記録媒体を回転自在に収容した筐体と、前記感光性記録媒体の記録面を覆う前記筐体の壁部に移動可能に設けられたシャッターとを備え、前記筐体の壁部に、前記感光性記録媒体の記録面の内周縁から外周縁に至る範囲で該感光性記録媒体に重なる固定透光スリットを設けると共に、前記シャッターに、変位透光スリットを設けており、シャッターの移動に伴い、シャッターの変位透光スリットと筐体の壁部の固定透光スリットの交差箇所が感光性記録媒体の記録面の内周縁から外周縁に至る範囲で変位したり、前記筐体の壁部の固定透光スリットが前記シャッターの変位透光スリットと交差せず、シャッターにより塞がれたりする。
【００１５】
また、前記感光性記録媒体の両面を覆う前記筐体の両側壁部に、それぞれのシャッターを移動可能に設け、筐体の両側壁部にそれぞれの固定透光スリットを設け、前記各シャッターにそれぞれの変位透光スリットを設けている。
【００１６】
また、前記筐体の壁部の固定透光スリットが前記感光性記録媒体の半径方向に設けられ、前記シャッターの変位透光スリットが筐体の壁部の固定透光スリットと交差する方向に設けられ、シャッターが筐体の壁部の固定透光スリットを横切る方向に移動される。
【００１７】
あるいは、前記筐体の壁部の固定透光スリットが前記感光性記録媒体の半径方向に設けられ、前記シャッターの変位透光スリットが感光性記録媒体の半径方向の線分に交差するように設けられ、シャッターが感光性記録媒体と同心軸周りに回転移動される。この場合、例えば、前記シャッターは、円形状もしくは扇型状である。
【００１８】
また、前記シャッターを複数枚設けており、前記各シャッターの変位透光スリットが前記筐体の壁部の固定透光スリットと１つの交差箇所で交差し、かつ該交差箇所が前記感光性記録媒体の記録面の内周縁から外周縁に至る範囲で変位するように、該各シャッターが移動される。
【００１９】
また、前記シャッターの変位透光スリット及び前記筐体の壁部の固定透光スリットのうちの少なくとも一方が透光性部材からなる。
【発明の効果】
【００２０】
本発明によれば、筐体の壁部に固定透光スリットを設けると共に、シャッターに変位透光スリットを設けており、シャッターの移動に伴い、シャッターの変位透光スリットと筐体の壁部の固定透光スリットの交差箇所が感光性記録媒体の記録面の内周縁から外周縁に至る範囲で変位する。ここで、光は、シャッターの変位透光スリットと筐体の壁部の固定透光スリットの交差箇所を透過する。シャッターの移動に伴い、その交差箇所が感光性記録媒体の記録面の内周縁から外周縁に至る範囲で変位するため、その交差箇所を通じて、光を感光性記録媒体の記録面の内周縁から外周縁に至る範囲で入出射させることができる。また、感光性記録媒体を回転させれば、光を感光性記録媒体の記録面全体に入出射させることができる。従って、信号光及び参照光を、その交差箇所を通じて、感光性記録媒体の記録面全体に入出射させることができる。
【００２１】
また、シャッターの変位透光スリットと筐体の壁部の固定透光スリットの交差箇所以外では、感光性記録媒体が筐体もしくはシャッターにより覆われる。このため、その交差箇所のサイズを、信号光及び参照光を通過させるのに必要な最小限のサイズに抑えれば、外乱光が極めて侵入し難くなって、外乱光によるホログラム記録媒体の感光が生じない。また、塵芥や指紋が感光性記録媒体に付着することもない。
【００２２】
更に、信号光及び参照光を感光性記録媒体の一方面から他方面へと透過させる場合は、感光性記録媒体の両面を覆う筐体の両側壁部に、それぞれのシャッターを移動可能に設けて、筐体の壁部の固定透光スリット及びシャッターの変位透光スリットを感光性記録媒体の両面に設けるようにする。これにより、固定透光スリットと変位透光スリットの交差箇所が感光性記録媒体の両面に形成され、光が一方の交差箇所から感光性記録媒体を介して他方の交差箇所へと透過する。
【００２３】
例えば、筐体の壁部の固定透光スリットが感光性記録媒体の半径方向に設けられ、シャッターの変位透光スリットが筐体の壁部の固定透光スリットと交差する方向に設けられ、シャッターが筐体の壁部の固定透光スリットを横切る方向に移動される。この場合は、シャッターを直線的に移動させればよく、シャッターの支持構造等を簡単化することができる。
【００２４】
また、筐体の壁部の固定透光スリットが感光性記録媒体の半径方向に設けられ、シャッターの変位透光スリットが感光性記録媒体の半径方向の線分に交差するように設けられ、シャッターが感光性記録媒体と同心軸周りに回転移動される。この場合は、感光性記録媒体と同様に、シャッター及び筐体を円形状、またはシャッターを扇型にすることができ、感光性記録媒体カートリッジの小型化を図ることができる。
【００２５】
また、複数枚のシャッターが設けられ、各シャッターの変位透光スリットが筐体の壁部の固定透光スリットと１つの交差箇所で交差し、かつ該交差箇所が感光性記録媒体の記録面の内周縁から外周縁に至る範囲で変位するように、該各シャッターが移動されている。この場合は、複数の変位透光スリットと固定透光スリットの交差箇所の形状が多角形となって、形状の自由度が高くなり、信号光及び参照光を通過させながらも、外乱光をより通過させ難くすることができる。
【００２６】
更に、シャッターの変位透光性スリットが筐体の壁部の固定透光スリットに交差しないような該シャッターの移動位置を設けている。つまり、シャッターにより筐体の壁部の固定透光スリットが完全に塞がれるようにしている。これにより、感光性記録媒体の記録面に対する情報の読み書きを行わないときに、感光性記録媒体を完全に保護することができる。
【００２７】
また、筐体の壁部の固定透光スリット及びシャッターの変位透光スリットのうちの少なくとも一方が透光性部材からなる。この場合は、変位透光スリットと固定透光スリットの交差箇所での光の入出射が可能でありながら、塵芥が侵入したり、指紋が感光性記録媒体に付着したりすることがなくなる。特に、固定透光スリット及び変位透光スリットのうちの感光性記録媒体の記録面に近い方を透光性部材にすると、透光性部材への指紋の付着も防止することができ、透光性部材を透過する信号光および参照光の波面が乱れることを抑制することができる。
【図面の簡単な説明】
【００２８】
【図１】本発明の感光性記録媒体カートリッジの第１実施形態を示す分解斜視図である。
【図２】図１のカートリッジを閉じた状態を示す正面図である。
【図３】図１のカートリッジのシャッターを移動させて、円形状の感光性記録媒体の内周近傍一部を露呈させた状態を示す正面図である。
【図４】図１のカートリッジのシャッターを移動させて、円形状の感光性記録媒体の外周近傍一部を露呈させた状態を示す正面図である。
【図５】（ａ）は角度多重方式により感光性記録媒体の記録を行っているときの図１のカートリッジを拡大して示す正面図であり、（ｂ）は（ａ）のＣ-Ｃに沿う断面図であり、（ｃ）は（ａ）のＤ-Ｄに沿う断面図である。
【図６】（ａ）はコリニア方式により感光性記録媒体の記録を行っているときの図１のカートリッジを拡大して示す正面図であり、（ｂ）は（ａ）のＣ-Ｃに沿う断面図であり、（ｃ）は（ａ）のＤ-Ｄに沿う断面図である。
【図７】本発明の感光性記録媒体カートリッジの第２実施形態を示す正面図である。
【図８】図７のカートリッジのシャッターを移動させて、円形状の感光性記録媒体の内周近傍一部を露呈させた状態を示す正面図である。
【図９】図７のカートリッジのシャッターを移動させて、円形状の感光性記録媒体の外周近傍一部を露呈させた状態を示す正面図である。
【図１０】本発明の感光性記録媒体カートリッジの第３実施形態を示す分解斜視図である。
【図１１】図１０のカートリッジを閉じた状態を示す正面図である。
【図１２】図１０のカートリッジのシャッターを移動させて、円形状の感光性記録媒体の内周近傍一部を露呈させた状態を示す正面図である。
【図１３】図１０のカートリッジのシャッターを移動させて、円形状の感光性記録媒体の外周近傍一部を露呈させた状態を示す正面図である。
【発明を実施するための形態】
【００２９】
以下、本発明の実施形態を、添付図面を参照して詳細に説明する。
【００３０】
（第１実施形態）図１は、本発明の感光性記録媒体カートリッジの第１実施形態を示す分解斜視図である。図２は、第１実施形態のカートリッジを閉じた状態を示す正面図である。図３は、第１実施形態のカートリッジのシャッターを移動させて、円形状の感光性記録媒体の内周近傍一部を露呈させた状態を示す正面図である。図４は、第１実施形態のカートリッジのシャッターを移動させて、円形状の感光性記録媒体の外周近傍一部を露呈させた状態を示す正面図である。
【００３１】
本実施形態の感光性記録媒体カートリッジ１は、円形状の感光性記録媒体２と、感光性記録媒体２を回転自在に収納する筐体３と、筐体３を挟み込むように設けられたシャッター４とを備えている。
【００３２】
円形状の感光性記録媒体２は、円板状のホログラム記録媒体である。この感光性記録媒体２の中央には孔２ａが形成されており、この孔２ａに感光性記録媒体２のドライブ装置（図示せず）の回転軸が挿入されて、この回転軸により感光性記録媒体２が回転駆動される。
【００３３】
筐体３は、矩形状のものであって、第１ケース１１及び第２ケース１２からなり、第１及び第２ケース１１、１２間に感光性記録媒体２を収容する。第１及び第２ケース１１、１２は、矩形状の壁部１３と、この壁部１３の四辺に設けられた枠部１４とを有し、壁部１３の内側面に円形状凹部１５が形成され、壁部１３の中央に孔１６が形成されている。第１及び第２ケース１１、１２の円形状凹部１５に感光性記録媒体２を配置し、第１及び第２ケース１１、１２の枠部１４を相互に重ねて貼り合わせて、第１及び第２ケース１１、１２の四辺を封止し、第１及び第２ケース１１、１２の円形状凹部１５からなる空きスペースに感光性記録媒体２を回転自在に収容している。
【００３４】
筐体３に感光性記録媒体２を収容した状態では、第１及び第２ケース１１、１２の壁部１３が感光性記録媒体２の両面を覆い、各壁部１３の中央の孔１６が感光性記録媒体２の中央の孔２ａに重なる。このため、上記ドライブ装置の回転軸を第１及び第２ケース１１、１２の壁部１３の孔１６を通じて感光性記録媒体２の孔２ａに挿入することができる。
【００３５】
また、第１及び第２ケース１１、１２の壁部１３には、該各壁部１３の一辺から中央の孔１６に至る固定スリット１７がそれぞれ形成されている。各壁部１３の固定スリット１７は、感光性記録媒体２の半径方向Ｂに沿って、感光体記録媒体２の記録面２ｂの外周縁から内周縁までの範囲に設けられている。
【００３６】
シャッター４は、第１遮蔽板２１と、第２遮蔽板２２と、第１及び第２遮蔽板２１、２２の一端を相互に連結する連結部２３とを備え、その断面形状がコの字型となっている。このシャッター４は、その第１及び第２遮蔽板２１、２２間に筐体３を挟み込んで該筐体３に取り付けられ、第１及び第２ケース１１、１２の固定スリット１７と直交する方向Ａに移動自在に支持されている。例えば、第１及び第２遮蔽板２１、２２が第１及び第２ケース１１、１２外側の嵌合凹所１８に嵌め入れられて、シャッター４が移動自在に支持されている。
【００３７】
第１及び第２遮蔽板２１、２２の幅は、第１及び第２ケース１１、１２の半分の幅と略同一にされている。また、第１及び第２遮蔽板２１、２２の高さは、第１及び第２ケース１１、１２の固定スリット１７の高さと略同一か、この高さよりもやや高くされている。
【００３８】
また、第１及び第２遮蔽板２１、２２には変位スリット２４がそれぞれ形成されている。これらの変位スリット２４は、第１及び第２ケース１１、１２の固定スリット１７に対して略４５°で同一方向に傾斜している。
【００３９】
このような構成の感光性記録媒体カートリッジ１において、図２に示すようにシャッター４が方向Ａの最も右側に移動された状態では、第１及び第２遮蔽板２１、２２が第１及び第２ケース１１、１２の固定スリット１７を塞ぎ、かつ第１及び第２ケース１１、１２が第１及び第２遮蔽板２１、２２の変位スリット２４を塞ぐ。このため、感光性記録媒体２の両面全体が筐体３もしくはシャッター４により覆い隠される。
【００４０】
次に、図３に示すようにシャッター４が左方向にやや移動された状態では、第１及び第２遮蔽板２１、２２の変位スリット２４が第１及び第２ケース１１、１２の固定スリット１７の上側箇所に交差し、これらの交差箇所が開口され、これらの交差箇所の開口部で感光性記録媒体２の両面の内周縁が露呈され、これらの交差箇所の開口部を通じて、感光性記録媒体２の記録面２ｂの内周縁に対する光（信号光及び参照光）の入出射が可能となる。
【００４１】
更に、シャッター４が左方向に移動されて行くと、第１及び第２遮蔽板２１、２２の変位スリット２４と第１及び第２ケース１１、１２の固定スリット１７の交差箇所が下方に移動して行き、これらの交差箇所の開口部が感光性記録媒体２の両面の外周側へと移動して行く。
【００４２】
そして、図４に示すようにシャッター４が方向Ａの最も左側に移動された状態では、第１及び第２遮蔽板２１、２２の変位スリット２４が第１及び第２ケース１１、１２の固定スリット１７の下側箇所に交差し、これらの交差箇所の開口部が感光性記録媒体２の両面の外周縁に至る。
【００４３】
従って、図２に示すようにシャッター４を最も右側に移動させることにより、感光性記録媒体２の両面全体を覆い隠すことができる。この状態では、感光性記録媒体２に対する光の入出射を行うことができないが、感光性記録媒体２を完全に保護することができる。
【００４４】
また、図３及び図４に示すようにシャッター４を左側に移動させて行くと、第１及び第２遮蔽板２１、２２の変位スリット２４と第１及び第２ケース１１、１２の固定スリット１７の交差箇所が下方に移動して行き、これらの交差箇所の開口部が感光性記録媒体２の両面の内周縁から外周縁まで移動して行く。このため、これらの交差箇所の開口部通じて、信号光及び参照光を感光性記録媒体２の記録面２ｂの内周縁から外周縁に至る範囲で入出射させることができる。
【００４５】
更に、感光性記録媒体２を回転させれば、信号光及び参照光を感光性記録媒体２の記録面２ｂ全体に入出射させることができる。従って、信号光及び参照光を、変位スリット２４と固定スリット１７が交差する開口部を通じて、感光性記録媒体２の記録面２ｂ全体に入出射させることができる。
【００４６】
また、変位スリット２４と固定スリット１７の交差箇所以外では、感光性記録媒体２が筐体３もしくはシャッター４により覆われる。このため、変位スリット２４と固定スリット１７が交差する開口部のサイズを、信号光及び参照光を通過させるのに必要な最小限のサイズに抑えれば、外乱光が極めて侵入し難くなって、外乱光による感光性記録媒体２の感光が生じない。また、塵芥や指紋が感光性記録媒体２に付着することもない。
【００４７】
尚、筐体３やシャッター４を矩形状とは異なる他の形状にしても構わない。また、シャッター４を筐体３の外側に設けるのではなく、シャッター４を筐体３の内側に設けることも可能である。
【００４８】
また、変位スリット２４の傾斜角度を変更したり、固定スリット１７を傾斜させたり、変位スリット２４もしくは固定スリット１７を曲線状にしてもよい。
【００４９】
更に、変位スリット２４もしくは固定スリット１７を透光性部材で形成しても構わない。例えば、第１及び第２遮蔽板２１、２２や第１及び第２ケース１１、１２にスリット状の開口部を形成して、ここに透光性部材を充填する、もしくは第１及び第２遮蔽板２１、２２や第１及び第２ケース１１、１２全体を透光性部材で形成して、変位スリット２４や固定スリット１７を除く部位を遮光性部材で覆う。この場合、感光性記録媒体２が密封されるため、塵芥の侵入や指紋の付着を効果的に防止することができる。また、変位スリット２４及び固定スリット１７のうちの感光性記録媒体２の記録面２ｂに近い方のみを透光性部材にすると、透光性部材への指紋の付着も防止することができ、透光性部材を透過する信号光および参照光の波面が乱れることを抑制することができる。
【００５０】
また、信号光及び参照光が感光性記録媒体２を透過しない場合は、信号光及び参照光をカートリッジ１から出射させる必要がないので、この出射側の変位スリット２４及び固定スリット１７を省略することができる。
【００５１】
次に、本実施形態の感光性記録媒体カートリッジ１の感光性記録媒体２に対するホログラフィック記録の方法を概略的に説明する。
【００５２】
図５（ａ）は、角度多重方式により感光性記録媒体２の記録を行っているときの感光性記録媒体カートリッジ１を拡大して示す正面図である。また、図５（ｂ）及び（ｃ）は、図５（ａ）のＣ-Ｃに沿う断面図、及び図５（ａ）のＤ-Ｄに沿う断面図である。
【００５３】
図５（ａ）〜（ｃ）から明らかなように、第１及び第２遮蔽板２１、２２の変位スリット２４の幅は、第１及び第２ケース１１、１２の固定スリット１７の幅よりも広くされており、変位スリット２４と固定スリット１７の交差箇所の開口部２５が長形の平行四辺形となっている。信号光Ｌ１は、レンズＲを介して感光性記録媒体２の記録面２ｂに入射している。信号光Ｌ１及び参照光Ｌ２は、Ｃ-Ｃに沿って見ると、感光性記録媒体２の記録面２ｂに対して相互に異なるそれぞれの入射角度で入射し、かつＤ-Ｄに沿って見ると、感光性記録媒体２の記録面２ｂに対して共に垂直に入射しており、それぞれの照射スポットＳ１、Ｓ２が開口部２５の長手方向に沿って長い楕円状にかつ並んで形成されている。
【００５４】
ここで、信号光Ｌ１及び参照光Ｌ２は、レーザ光を分離したものであり、信号光Ｌ１が光変調素子により変調され、参照光Ｌ２が位相変調素子により位相変調されている。角度多重方式では、信号光Ｌ１及び参照光Ｌ２をそれぞれ異なる入射角度で感光性記録媒体２に入射させて、信号光Ｌ１と参照光Ｌ２を感光性記録媒体２の中で干渉させ、この干渉により生じた干渉縞（ホログラム）を感光性記録媒体２に記録し、また参照光Ｌ２の入射角度を変化させて、多重記録を行う。
【００５５】
このような信号光Ｌ１及び参照光Ｌ２が遮られてはならず、かつ外乱光が感光性記録媒体２に入射してはならない。このため、変位スリット２４と固定スリット１７の交差箇所の開口部２５を長形の平行四辺形とすることにより、信号光Ｌ１及び参照光Ｌ２が相互に異なるそれぞれの入射角度で入射し易いようにし、かつ外乱光が入射し難いようにしている。すなわち、変位スリット２４と固定スリット１７の交差箇所の開口部２５を、信号光Ｌ１及び参照光Ｌ２を通過させるのに必要な最小限のサイズに抑えて、外乱光の侵入を抑えている。
【００５６】
尚、Ｃ-Ｃに沿って見ると、信号光Ｌ１及び参照光Ｌ２が相互に異なるそれぞれの入射角度で入射するので、信号光Ｌ１の入射位置と出射位置が相互にずれ、参照光Ｌ２の入射位置と出射位置も相互にずれる。このため、これらの入射位置と出射位置のずれに応じて、第１及び第２遮蔽板２１の変位スリット２４の位置を相互にずらしてもよい。
【００５７】
図６（ａ）は、コリニア方式により感光性記録媒体２の記録を行っているときの感光性記録媒体カートリッジ１を拡大して示す正面図である。また、図６（ｂ）及び（ｃ）は、図６（ａ）のＣ-Ｃに沿う断面図、及び図６（ａ）のＤ-Ｄに沿う断面図である。
【００５８】
図６（ａ）〜（ｃ）から明らかなように、第１遮蔽板２１の変位スリット２４の幅と第１ケース１１の固定スリット１７の幅が略同一にされており、変位スリット２４と固定スリット１７の交差箇所の開口部２６が短形の平行四辺形となっている。信号光Ｌ１及び参照光Ｌ２は、Ｃ-Ｃ及びＤ-Ｄのいずれで見ても、感光性記録媒体２の記録面２ｂに対して共に垂直に入射しており、それぞれの照射スポットＳ１、Ｓ２が開口部２５内で同心円状に重なって形成されている。
【００５９】
信号光Ｌ１及び参照光Ｌ２は、同心軸状（もしくは同心円状）に重なり合って干渉し、この干渉により生じた干渉縞（ホログラム）が感光性記録媒体２に記録される。
【００６０】
このコリニア方式では、信号光Ｌ１及び参照光Ｌ２が同心軸状（もしくは同心円状）に重なり合うので、変位スリット２４と固定スリット１７の交差箇所の開口部２６を短径の平行四辺形とすることにより、開口部２６を信号光Ｌ１及び参照光Ｌ２を通過させるのに必要な最小限のサイズに抑えて、外乱光の侵入を抑えている。
【００６１】
尚、角度多重方式及びコリニア方式のいずれにおいても、記録時と等価の参照光を感光性記録媒体２に照射することにより、信号光を再生することができる。
【００６２】
（第２実施形態）図７は、本発明の感光性記録媒体カートリッジの第２実施形態を示す正面図である。図８は、第２実施形態のカートリッジのシャッターを移動させて、円形状の感光性記録媒体の内周近傍一部を露呈させた状態を示す正面図である。図９は、第２実施形態のカートリッジのシャッターを移動させて、円形状の感光性記録媒体の外周近傍一部を露呈させた状態を示す正面図である。
【００６３】
尚、図７乃至図９において、図１乃至図４と同様の作用を果たす部位には同じ符号を付する。
【００６４】
本実施形態の感光性記録媒体カートリッジ１Ａでは、２枚のシャッター４ａ、４ｂを用いている。各シャッター４ａ、４ｂのいずれも、図１のシャッター４と同様に、第１遮蔽板２１と、第２遮蔽板２２と、第１及び第２遮蔽板２１、２２の一端を相互に連結する連結部２３とを備え、その断面形状がコの字型となっている。シャッター４ａは、その第１及び第２遮蔽板２１、２２間に筐体３を挟み込んで該筐体３に取り付けられ、第１及び第２ケース１１、１２の固定スリット１７と直交する方向Ａに移動自在に支持されている。また、シャッター４ｂは、その第１及び第２遮蔽板２１、２２間にシャッター４ａ及び筐体３を挟み込んで取り付けられ、第１及び第２ケース１１、１２の固定スリット１７と直交する方向Ａに移動自在に支持されている。
【００６５】
各シャッター４ａ、４ｂのいずれについても、第１及び第２遮蔽板２１、２２にそれぞれの変位スリット２４が形成されている。ただし、各シャッター４ａ、４ｂ間では、変位スリット２４の傾斜方向が相互に異なり、それぞれの変位スリット２４の向きが相互に直交する。
【００６６】
このような構成の感光性記録媒体カートリッジ１Ａにおいて、図７に示すようにシャッター４ａが方向Ａの最も右側に移動され、同時にシャッター４ｂが方向Ａの最も左側に移動された状態では、各シャッター４ａ、４ｂが筐体３の固定スリット１７を塞ぐので、感光性記録媒体２の両面全体が筐体３もしくは各シャッター４ａ、４ｂにより覆い隠される。
【００６７】
次に、図８に示すようにシャッター４ａが左方向にやや移動され、同時にシャッター４ｂが右方向にやや移動された状態では、各シャッター４ａ、４ｂの変位スリット２４が筐体３の固定スリット１７の上側箇所に交差し、これらの交差箇所が開口され、これらの交差箇所の開口部で感光性記録媒体２の内周縁が露呈され、これらの交差箇所の開口部を通じて、感光性記録媒体２の記録面の内周縁に対する信号光及び参照光の入出射が可能となる。
【００６８】
更に、シャッター４ａが左方向に移動されて行き、同時にシャッター４ｂが右方向に移動されて行くと、各シャッター４ａ、４ｂの変位スリット２４と筐体３の固定スリット１７の交差箇所が下方に移動して行き、これらの交差箇所の開口部が感光性記録媒体２の外周側へと移動して行く。
【００６９】
そして、図９に示すようにシャッター４ａが最も左側に移動され、同時にシャッター４ｂが最も右側に移動された状態では、各シャッター４ａ、４ｂの変位スリット２４が筐体３の固定スリット１７の下側箇所に交差し、これらの交差箇所の開口部が感光性記録媒体２の記録面の外周縁に至る。
【００７０】
筐体３の第１及び第２ケース１１、１２には、固定スリット１７がそれぞれ形成され、また各シャッター４ａ、４ｂのいずれについても、第１及び第２遮蔽板２１、２２にそれぞれの変位スリット２４が形成されている。このため、筐体３の第１及び第２ケース１１、１２のいずれの側でも、図７乃至図９に示すように各シャッター４ａ、４ｂを位置決めもしくは移動させることにより、感光性記録媒体２の両面全体を覆い隠すことと、各シャッター４ａ、４ｂの変位スリット２４と筐体３の固定スリット１７の交差箇所を移動させることができる。
【００７１】
従って、図７に示すようにシャッター４ａを最も右側に移動させ、同時にシャッター４ｂを最も左側に移動させることにより、感光性記録媒体２の両面全体を覆い隠すことができる。
【００７２】
また、図８及び図９に示すようにシャッター４ａを左側に移動させて行き、同時にシャッター４ｂを右側に移動させて行くと、各シャッター４ａ、４ｂの変位スリット２４と筐体３の固定スリット１７の交差箇所が下方に移動して行き、これらの交差箇所の開口部が感光性記録媒体２の記録面の内周縁から外周縁まで移動して行く。このため、それらの交差箇所の開口部通じて、信号光及び参照光を感光性記録媒体２の記録面の内周縁から外周縁に至る範囲で入出射させることができる。更に、感光性記録媒体２を回転されば、信号光及び参照光を感光性記録媒体２の記録面全体に入出射させることができる。
【００７３】
また、２枚のシャッター４ａ、４ｂの変位スリット２４と筐体３の固定スリット１７の交差箇所には六角形状の開口部が形成され、この開口部の六角形状が図５もしくは図６に示す信号光及び参照光の照射スポットの形状に近づくので、この開口部の面積をより狭くして、外乱光、塵芥や指紋の侵入をより効果的に防ぐことができる。
【００７４】
尚、筐体３や各シャッター４ａ、４ｂを矩形状とは異なる他の形状にしても構わない。更に、各シャッター４ａ、４ｂを筐体３の外側に設けるのではなく、各シャッター４ａ、４ｂを筐体３の内側に設けたり、各シャッター４ａ、４ｂを筐体３の外側と内側に分けて設けてもよい。
【００７５】
また、変位スリット２４の傾斜角度を変更したり、固定スリット１７を傾斜させたり、変位スリット２４もしくは固定スリット１７を曲線状にしてもよい。
【００７６】
更に、変位スリット２４もしくは固定スリット１７を透光性部材で形成しても構わない。この場合、感光性記録媒体２が密封されるため、塵芥の侵入や指紋の付着を効果的に防止することができる。また、変位スリット２４及び固定スリット１７のうちの感光性記録媒体２の記録面に近い方を透光性部材にすると、透光性部材への指紋の付着も防止することができ、透光性部材を透過する信号光および参照光の波面が乱れることを抑制することができる。
【００７７】
また、信号光及び参照光が感光性記録媒体２を透過しない場合は、信号光及び参照光をカートリッジ１から出射させる必要がないので、この出射側の変位スリット２４及び固定スリット１７を省略することができる。
【００７８】
（第３実施形態）図１０は、本発明の感光性記録媒体カートリッジの第３実施形態を示す分解斜視図である。図１１は、第３実施形態のカートリッジを閉じた状態を示す正面図である。図１２は、第３実施形態のカートリッジのシャッターを移動させて、円形状の感光性記録媒体の内周近傍一部を露呈させた状態を示す正面図である。図１３は、第３実施形態のカートリッジのシャッターを移動させて、円形状の感光性記録媒体の外周近傍一部を露呈させた状態を示す正面図である。
【００７９】
本実施形態の感光性記録媒体カートリッジ３１は、円形状の感光性記録媒体３２と、感光性記録媒体３２を回転自在に収納する筐体３３と、筐体３３の両面に設けられたそれぞれのシャッター３４、３５とを備えている。
【００８０】
円形状の感光性記録媒体３２は、円板状のホログラム記録媒体であり、その中央の孔３２ａに感光性記録媒体３２のドライブ装置（図示せず）の回転軸が挿入されて、この回転軸により感光性記録媒体３２が回転駆動される。
【００８１】
筐体３３は、第１ケース４１及び第２ケース４２からなる。第１及び第２ケース４１、４２は、壁部４３と、この壁部４３の四辺に設けられた枠部４４とを有し、壁部４３の内側面に円形状凹部４５が形成され、壁部４３の外側面にも円形状凹部４６が形成され、壁部４３の中央に孔４７が形成されている。更に、壁部４３には、各円形状凹部４５、４６の外周に沿う一対の弧状ガイド溝４８が形成されている。
【００８２】
第１及び第２ケース４１、４２内側の円形状凹部４５に感光性記録媒体３２を配置し、第１及び第２ケース４１、４２の枠部４４を相互に重ねて貼り合わせて、第１及び第２ケース４１、４２の四辺を封止し、第１及び第２ケース４１、４２内側の円形状凹部４５からなる空きスペースに感光性記録媒体３２を回転自在に収容している。
【００８３】
筐体３３に感光性記録媒体３２を収容した状態では、第１及び第２ケース４１、４２の壁部４３が感光性記録媒体３２の両面を覆い、各壁部４３の中央の孔４７が感光性記録媒体３２の中央の孔３２ａに重なる。
【００８４】
また、第１及び第２ケース４１、４２の壁部４３には、該各壁部４３の一辺から中央の孔４７に至る固定スリット４９がそれぞれ形成されている。各壁部４３の固定スリット４９は、感光性記録媒体３２の半径方向Ｂに沿って、感光体記録媒体３２の記録面の外周縁から内周縁までの範囲に設けられている。
【００８５】
各シャッター３４、３５は、円板状のものであって、その中央に孔３４ａ、３５ａが形成されている。これらのシャッター３４、３５は、第１及び第２ケース４１、４２外側の円形状凹部４６に回転自在に嵌め入れられる。また、一方のシャッター３４の周縁近傍２箇所に嵌合孔３４ｂが形成され、他方のシャッター３５の周縁近傍２箇所にピン３５ｂが突設されており、他方のシャッター３５の各ピン３５ｂが第１及び第２ケース４１、４２の各弧状ガイド溝４８を介して一方のシャッター３４の各嵌合孔３４ｂに挿入接続されて、各シャッター３４、３５が相互に連結されている。
【００８６】
また、各シャッター３４、３５の中央の孔３４ａ、３５ａは、第１及び第２ケース４１、４２の中央の孔４７及び感光性記録媒体３２の中央の孔３２ａに重なる。このため、上記ドライブ装置の回転軸を各シャッター３４、３５の孔３４ａ、３５ａ及び第１及び第２ケース４１、４２の孔４７を通じて感光性記録媒体３２の孔３２ａに挿入することができる。
【００８７】
各シャッター３４、３５の半径は、第１及び第２ケース４１、４２の固定スリット４９を十分に覆い得るように設定されている。
【００８８】
また、各シャッター３４、３５には変位スリット３６がそれぞれ形成されている。これらの変位スリット３６は、各シャッター３４、３５と同心軸状に重なる感光性記録媒体３２の半径方向の線分に交差するような曲線を描いている。
【００８９】
このような構成の感光性記録媒体カートリッジ３１においては、各シャッター３４、３５が第１及び第２ケース４１、４２外側の円形状凹部４６に回転自在に嵌め入れられ、他方のシャッター３５の各ピン３５ｂが第１及び第２ケース４１、４２の各弧状ガイド溝４８に沿って移動可能であり、各シャッター３４、３５が相互に連結され、各シャッター３４、３５の孔３４ａ、３５ａが感光性記録媒体３２の孔３２ａに重なることから、各シャッター３４、３５を一体的にかつ感光性記録媒体３２と同心軸状に回転移動させることが可能である。
【００９０】
ここで、図１１に示すように各シャッター３４、３５が回転移動された状態では、各シャッター３４、３５の変位スリット３６が第１及び第２ケース４１、４２の固定スリット４９を塞ぐ。このため、感光性記録媒体３２の両面全体が筐体３３もしくは各シャッター３４、３５により覆い隠される。
【００９１】
次に、図１１に示すように各シャッター３４、３５が時計回り方向にやや回転移動された状態では、各シャッター３４、３５の変位スリット３６が第１及び第２ケース４１、４２の固定スリット４９の上側箇所に交差し、これらの交差箇所が開口され、これらの交差箇所の開口部を通じて、感光性記録媒体３２の記録面の内周縁に対する信号光及び参照光の入出射が可能となる。
【００９２】
更に、各シャッター３４、３５が時計回り方向に回転移動されて行くと、各シャッター３４、３５の変位スリット３６と第１及び第２ケース４１、４２の固定スリット４９の交差箇所が下方に移動して行き、これらの交差箇所の開口部が感光性記録媒体３２の両面の外周側へと移動して行く。
【００９３】
そして、図１３に示すように各シャッター３４、３５が時計回り方向に更に回転移動された状態では、各シャッター３４、３５の変位スリット３６が第１及び第２ケース４１、４２の固定スリット４９の下側箇所に交差し、これらの交差箇所の開口部が感光性記録媒体３２の両面の外周縁に至る。
【００９４】
従って、図１１に示すように各シャッター３４、３５を位置決めすることにより、感光性記録媒体３２の両面全体を覆い隠すことができる。
【００９５】
また、図１２及び図１３に示すように各シャッター３４、３５を時計回り方向に回転移動させて行くと、各シャッター３４、３５の変位スリット３６と第１及び第２ケース４１、４２の固定スリット４９の交差箇所が下方に移動して行き、これらの交差箇所の開口部が感光性記録媒体３２の記録面の内周縁から外周縁まで移動して行く。このため、それらの交差箇所の開口部通じて、信号光及び参照光を感光性記録媒体３２の記録面の内周縁から外周縁に至る範囲で入出射させることができる。更に、感光性記録媒体３２を回転されば、信号光及び参照光を感光性記録媒体３２の記録面全体に入出射させることができる。
【００９６】
また、変位スリット３６と固定スリット４９の交差箇所以外では、感光性記録媒体３２が筐体３３もしくは各シャッター３４、３５により覆われる。このため、交差箇所の開口部のサイズを、信号光及び参照光を通過させるのに必要な最小限のサイズに抑えれば、外乱光が極めて侵入し難くなって、外乱光による感光性記録媒体３２の感光が生じない。また、塵芥や指紋が感光性記録媒体３２に付着することもない。
【００９７】
更に、各シャッター３４、３５が感光性記録媒体３２と同心軸状に重なるので、上記ドライブ装置において、感光性記録媒体３２の孔３２ａに挿入される回転軸周りに、各シャッター３４、３５を回転移動させる駆動機構を設けることで、各シャッター３４、３５の回転位置を制御することが可能となり、シャッターを直線移動させる駆動機構を設けることと比較すると、ドライブ装置の構成の簡単化と小型化を図ることが可能になる。
【００９８】
また、各シャッター３４、３５が円形であるため、筐体３３を円形にすることが可能であり、矩形状の筐体を用いた構成と比較すると、カートリッジの小型化、材料コストの低減を図ることができ、延いてはカートリッジが装着されるドライブ装置の小型化を図ることが可能になる。
【００９９】
尚、各シャッター３４、３５は、円形である必要はなく、扇形であっても構わない。また、各シャッター３４、３５を筐体３３の外側に設けるのではなく、筐体３３の内側に設けたり、筐体３３の外側と内側に分けて設けてもよい。
【０１００】
また、変位スリット３６の曲率を変更したり、変位スリット３６を直線状にしてもよく、固定スリット４９を傾斜させたり曲線状にしても構わない。
【０１０１】
更に、変位スリット３６もしくは固定スリット４９を透光性部材で形成しても構わない。この場合、感光性記録媒体２が密封されるため、塵芥の侵入や指紋の付着を効果的に防止することができる。また、変位スリット３６及び固定スリット４９のうちの感光性記録媒体３２の記録面に近い方を透光性部材にすると、透光性部材への指紋の付着も防止することができ、透光性部材を透過する信号光および参照光の波面が乱れることを抑制することができる。
【０１０２】
また、信号光及び参照光が感光性記録媒体３２を透過しない場合は、信号光及び参照光をカートリッジ３１から出射させる必要がないので、この出射側の変位スリット３６及び固定スリット４９を省略することができる。
【０１０３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【０１０４】
１、３１  感光性記録媒体カートリッジ
２、３２  感光性記録媒体
３、３３  筐体
４、４ａ、４ｂ、３４、３５  シャッター
１１、４１  第１ケース
１２、４２  第２ケース
１３、４３  壁部
１４、４４  枠部
１５、４５、４６  円形状凹部
１７、４９  固定スリット
２１  第１遮蔽板
２２  第２遮蔽板
２３  連結部
２４、３６  変位スリット
４８  弧状ガイド溝
【図１】
2010238279.tif 000003
【図２】
2010238279.tif 000004
【図３】
2010238279.tif 000005
【図４】
2010238279.tif 000006
【図５】
2010238279.tif 000007
【図６】
2010238279.tif 000008
【図７】
2010238279.tif 000009
【図８】
2010238279.tif 000010
【図９】
2010238279.tif 000011
【図１０】
2010238279.tif 000012
【図１１】
2010238279.tif 000013
【図１２】
2010238279.tif 000014
【図１３】
2010238279.tif 000015